(57)【要約】【課題】車椅子利用者が使用し易くすることができるサニタリールームを提供する。【解決手段】前壁部１３、後壁部、左壁部１５及び右壁部１６で囲まれると共に、仕切り部材３０によって人が行き来可能に内部空間が第一の内部空間Ｒ１と第二の内部空間Ｒ２とに区画されるサニタリールーム１であって、仕切り部材３０は、下端部３１が床部１１との間に隙間Ｃ１を空けて配置されると共に上端部３２が天井１２との間に隙間Ｃ２を空けて配置され、前壁部１３の上下中途部に固定される。【選択図】図２
2016053287.tif 000002
【特許請求の範囲】
【請求項１】
複数の壁部で囲まれると共に、仕切り部材によって人が行き来可能に内部空間が区画されるサニタリールームであって、
前記仕切り部材は、
下端部が床部との間に隙間を空けて配置され、前記複数の壁部の中の一の壁部に固定されることを特徴とするサニタリールーム。
【請求項２】
前記仕切り部材は、
上端部が天井との間に隙間を空けて配置されることを特徴とする請求項１に記載のサニタリールーム。
【請求項３】
前記仕切り部材によって区画された第一の内部空間には、
前記床部との間に隙間を空けて配置され、前記一の壁部と前記複数の壁部の中で前記一の壁部とは異なる壁部とに固定される衛生機器が設けられ、
前記仕切り部材は、
前記衛生機器に固定されることを特徴とする請求項１又は請求項２に記載のサニタリールーム。
【請求項４】
前記衛生機器は、洗面カウンターであることを特徴とする請求項３に記載のサニタリールーム。
【請求項５】
前記第一の内部空間及び前記仕切り部材を挟んで前記第一の内部空間と隣り合う第二の内部空間のいずれか一方には、
前記一の壁部と前記複数の壁部の中で前記一の壁部とは異なる壁部とに固定される一方側固定部材が設けられ、
前記仕切り部材は、
前記一方側固定部材に固定されることを特徴とする請求項３又は請求項４に記載のサニタリールーム。
【請求項６】
前記第一の内部空間及び前記第二の内部空間の他方には、
前記一の壁部と前記複数の壁部の中で前記一の壁部とは異なる壁部とに固定される他方側固定部材が設けられ、
前記仕切り部材は、
前記他方側固定部材に固定されることを特徴とする請求項５に記載のサニタリールーム。
【請求項７】
前記一方側固定部材及び前記他方側固定部材は、
前記衛生機器よりも高い位置に配置される請求項６に記載のサニタリールーム。
【請求項８】
前記第二の内部空間には、便器が設けられ、
前記仕切り部材は、前記便器を前記第二の内部空間とは異なる内部空間から直接視認し難くするための目隠し機能を有することを特徴とする請求項５から請求項７までのいずれか一項に記載のサニタリールーム。
【請求項９】
前記一方側固定部材及び前記他方側固定部材の少なくともいずれかは、収納部であることを特徴とする請求項６から請求項８までのいずれか一項に記載のサニタリールーム。
【発明の詳細な説明】
【技術分野】
【０００１】
本発明は、複数の壁部で囲まれると共に、仕切り部材によって人が行き来可能に内部空間が区画されるサニタリールームの技術に関する。
【背景技術】
【０００２】
従来、複数の壁部で囲まれると共に、仕切り部材によって人が行き来可能に内部空間が区画されるサニタリールームの技術は公知となっている。例えば、特許文献１に記載の如くである。
【０００３】
特許文献１に開示される間仕切りユニット（仕切り部材）は、内壁面から前方へ突出して固定された枠体と、枠体の前面に取り付けられた前面化粧板と、枠体の両側面に分割して取り付けられた複数の側面化粧板とからなる。間仕切りユニットは、枠体の上端部で上下動可能に設けたスライド板が天井面に圧接固定された後、前面化粧板と側面化粧板との上端部が天井面に密着して取り付けられる。枠体は床面に載置される。
【０００４】
しかしながら、このような間仕切りユニットによって内部空間が区画されたサニタリールームを車椅子利用者が使用する場合、車椅子利用者は、車椅子で移動（旋回等）する際に足先が間仕切りユニット（枠体等）の下部に接触するおそれがある。
【０００５】
このように、特許文献１に開示される技術では、車椅子利用者がサニタリールームを使用し難くなる可能性があった。
【先行技術文献】
【特許文献】
【０００６】
【特許文献１】特開２００４−２３２２７３号公報
【発明の概要】
【発明が解決しようとする課題】
【０００７】
本発明は、以上の如き状況を鑑みてなされたものであり、車椅子利用者が使用し易いサニタリールームを提供することである。
【課題を解決するための手段】
【０００８】
本発明の解決しようとする課題は以上の如くであり、次にこの課題を解決するための手段を説明する。
【０００９】
即ち、請求項１においては、複数の壁部で囲まれると共に、仕切り部材によって人が行き来可能に内部空間が区画されるサニタリールームであって、前記仕切り部材は、下端部が床部との間に隙間を空けて配置され、前記複数の壁部の中の一の壁部に固定されるものである。
【００１０】
請求項２においては、前記仕切り部材は、上端部が天井との間に隙間を空けて配置されるものである。
【００１１】
請求項３においては、前記仕切り部材によって区画された第一の内部空間には、前記床部との間に隙間を空けて配置され、前記一の壁部と前記複数の壁部の中で前記一の壁部とは異なる壁部とに固定される衛生機器が設けられ、前記仕切り部材は、前記衛生機器に固定されるものである。
【００１２】
請求項４においては、前記衛生機器は、洗面カウンターであるものである。
【００１３】
請求項５においては、前記第一の内部空間及び前記仕切り部材を挟んで前記第一の内部空間と隣り合う第二の内部空間のいずれか一方には、前記一の壁部と前記複数の壁部の中で前記一の壁部とは異なる壁部とに固定される一方側固定部材が設けられ、前記仕切り部材は、前記一方側固定部材に固定されるものである。
【００１４】
請求項６においては、前記第一の内部空間及び前記第二の内部空間の他方には、前記一の壁部と前記複数の壁部の中で前記一の壁部とは異なる壁部とに固定される他方側固定部材が設けられ、前記仕切り部材は、前記他方側固定部材に固定されるものである。
【００１５】
請求項７においては、前記一方側固定部材及び前記他方側固定部材は、前記衛生機器よりも高い位置に配置されるものである。
【００１６】
請求項８においては、前記第二の内部空間には、便器が設けられ、前記仕切り部材は、前記便器を前記第二の内部空間とは異なる内部空間から直接視認し難くするための目隠し機能を有するものである。
【００１７】
請求項９においては、前記一方側固定部材及び前記他方側固定部材の少なくともいずれかは、収納部であるものである。
【発明の効果】
【００１８】
本発明の効果として、以下に示すような効果を奏する。
【００１９】
請求項１においては、車椅子利用者が使用し易くすることができる。
【００２０】
請求項２においては、サニタリールームを使用する者に与える圧迫感を低減することができる。
【００２１】
請求項３においては、仕切り部材及び衛生機器を安定した状態で固定することができる。
【００２２】
請求項４においては、車椅子に搭乗したままで洗面カウンターを使用することができる。
【００２３】
請求項５においては、仕切り部材を安定した状態で固定することができる。
【００２４】
請求項６においては、仕切り部材をより安定した状態で固定することができる。
【００２５】
請求項７においては、仕切り部材をより安定した状態で固定することができる。
【００２６】
請求項８においては、視覚的な不快感を緩和することができる。
【００２７】
請求項９においては、サニタリールームの内部空間を有効に活用することができる。
【図面の簡単な説明】
【００２８】
【図１】本発明の一実施形態に係るサニタリールームを示した平面図。
【図２】本発明の一実施形態に係る洗面脱衣室及びトイレを示した斜視図。
【図３】同じく拡大平面図。
【図４】洗面脱衣室と洗濯機置き場とを区画する仕切り部材が設けられるサニタリールームを示した斜視図。
【図５】収納としての機能を有する仕切り部材が設けられるサニタリールームを示した斜視図。
【発明を実施するための形態】
【００２９】
以下の説明においては、図中に記した矢印に従って、上下方向、左右方向及び前後方向をそれぞれ定義する。
【００３０】
以下では、本発明の一実施形態に係るサニタリールーム１について説明する。
【００３１】
図１に示すサニタリールーム１は、住宅等の人の居住を用途とする建築物に設置される。サニタリールーム１は、ユニット躯体１０を有し、当該ユニット躯体１０の内部空間に浴室４０、洗面脱衣室５０、及びトイレ６０が設けられることで構成される。
【００３２】
ユニット躯体１０は、床部１１及び天井１２（図２参照）を有する。ユニット躯体１０は、四方が複数の壁部（パネル）により囲まれる。より詳細には、ユニット躯体１０は、前部に配置された前壁部１３と、後部に配置された後壁部１４と、左部に配置された左壁部１５と、右部に配置された右壁部１６とにより、前後方向及び左右方向を囲まれて形成される。
前壁部１３の左右上端部には、正面視矩形状の窓１３ａ（図２参照）がそれぞれ設けられる。前壁部１３及び後壁部１４の左右方向の長さは、左壁部１５及び右壁部１６の前後方向の長さよりも短い。すなわち、ユニット躯体１０は、前後方向を長手方向とする平面視略矩形状に形成される。
【００３３】
ユニット躯体１０は、左壁部１５の前端部付近から前後中途部に亘って開口され、当該開口された箇所がサニタリールーム１（ユニット躯体１０）に人が出入りするための出入口１７として形成される。出入口１７には、その開閉状態を切り替え可能な開閉扉１７ａが設けられる。開閉扉１７ａは、前後方向にスライド移動可能に構成される。
出入口１７の幅（前後方向幅）は、車椅子利用者が車椅子に搭乗したままで左右方向に沿って通過できる程度の長さ、例えば、８００ｍｍ程度よりも長くなるように形成される。
【００３４】
このようなユニット躯体１０には、内部空間を三つに仕切る（区画する）ための間仕切り２０及び仕切り部材３０が設けられる。
【００３５】
間仕切り２０は、ユニット躯体１０の内部空間を前後に仕切るものである。間仕切り２０は、平面視で左右方向に沿って直線状に延びるような形状に形成される。間仕切り２０の左端部は、左壁部１５の前後中央部に設けられる接続部１５ａを介して、左壁部１５の前後中央部に接続される。また、間仕切り２０の右端部は、右壁部１６の前後中央部に設けられる接続部１６ａを介して、右壁部１６の前後中央部に接続される。
【００３６】
間仕切り２０は、左右方向にスライド移動可能に構成される。図１は、間仕切り２０が閉塞状態である場合を示している。このように、間仕切り２０が閉塞状態である場合には、前側の空間と後側の空間とが遮断され、人が行き来不能となる。また、間仕切り２０が開放状態である場合には、前側の空間と後側の空間とが繋がり、人が行き来可能となる。
【００３７】
図１及び図２に示すように、仕切り部材３０は、間仕切り２０によって区画された前側の空間を、人が行き来可能に左右に区画するものである。仕切り部材３０は、板面を左右方向へ向けた平板状の部材である。仕切り部材３０は、側面視において上下方向を長手方向とする略矩形状に形成される。仕切り部材３０は、前端部が前壁部１３の左右中途部に配置され、前壁部１３から後方向に突出する。
仕切り部材３０の後方、より詳細には、仕切り部材３０の後端部と間仕切り２０の前側面との間には、車椅子利用者が車椅子に搭乗したままで左右方向に沿って通過できる程度の幅（例えば、出入口１７の幅と同程度の長さ）の隙間が形成される。
【００３８】
仕切り部材３０は、下端部３１と床部１１との間に隙間Ｃ１が形成されると共に上端部３２と天井１２との間に隙間Ｃ２が形成されるように、ユニット躯体１０等に固定される。より詳細には、図２及び図３に示すように、仕切り部材３０の前端部は、前壁部１３の上下中途部に固定される（図３に示す点Ｐ１１参照）。仕切り部材３０の左側面３３の下部は、後述する洗面脱衣室５０の洗面カウンター５１の右端部に固定される（図３に示す点Ｐ１２参照）。仕切り部材３０の左側面３３の上部は、後述する洗面脱衣室５０のミラーキャビネット５２の右端部に固定される（図３に示す点Ｐ１３参照）。仕切り部材３０の右側面３４の上部は、後述するトイレ６０の吊り収納６２の左端部に固定される（図３に示す点Ｐ１４参照）。
【００３９】
このようにして仕切り部材３０を固定することで床部１１との間に形成される隙間Ｃ１の高さ（上下方向幅）は、例えば、車椅子利用者が足先を入れることができる程度の高さとなるように形成される。すなわち、仕切り部材３０の下端部３１は、車椅子利用者の足先よりも高い位置に配置される。
また、隙間Ｃ２の高さは、例えば、窓１３ａからの光を遮らない程度の高さとなるように形成される。すなわち、仕切り部材３０の上端部３２は、窓１３ａの下端部よりも低い位置（本実施形態では窓１３ａの下端部よりも僅かに低い位置）に配置される。
【００４０】
以下では、間仕切り２０によって区画された前側の空間において、仕切り部材３０によって区画された左側の空間を「第一の内部空間Ｒ１」と称する。また、仕切り部材３０によって区画された右側の空間を「第二の内部空間Ｒ２」と称する。
【００４１】
第一の内部空間Ｒ１及び第二の内部空間Ｒ２は、仕切り部材３０を挟んで左右に隣り合う。第一の内部空間Ｒ１及び第二の内部空間Ｒ２の前部は、隙間Ｃ１・Ｃ２によって下端部及び上端部が繋がる。
【００４２】
図１に示すように、浴室４０は、間仕切り２０によって区画された後側の空間（ユニット躯体１０内の後部）に配置される。浴室４０には、浴槽４１、洗い場４２及び洗い場カウンター４３が設けられる。
【００４３】
浴槽４１は、左右方向を長手方向として浴室４０の後端部に配置される。浴槽４１は、後壁部１４、左壁部１５の後部及び右壁部１６の後部に当接する。
【００４４】
洗い場４２は、浴室４０の前部、すなわち、間仕切り２０を挟んで第一の内部空間Ｒ１及び第二の内部空間Ｒ２のすぐ後方に配置される。
【００４５】
洗い場カウンター４３は、洗い場４２の右端部に配置される。洗い場カウンター４３は、洗面器や入浴道具等を置くためのものである。洗い場カウンター４３は、その板面を上下方向へ向けた略平板状に形成される。洗い場カウンター４３は、右壁部１６から左方向に突出する。
【００４６】
洗い場カウンター４３は、ユニット躯体１０の右壁部１６に形成される図示せぬ格納部に格納可能に構成される。図１は、洗い場カウンター４３が格納されていない状態を示している。本実施形態に係るサニタリールーム１は、要介護者が洗い場４２を使用する場合に洗い場カウンター４３を前記格納部に格納し、要介護者の障害物となり得る物を無くして洗い場４２を広くすることができる。
【００４７】
図１及び図２に示すように、洗面脱衣室５０は、第一の内部空間Ｒ１（ユニット躯体１０の左前部）に配置される。すなわち、サニタリールーム１を使用する者（以下、「使用者」と称する）は、出入口１７からサニタリールーム１に入った際に、まず洗面脱衣室５０に入ることとなる。洗面脱衣室５０には、洗面カウンター５１及びミラーキャビネット５２が設けられる。
【００４８】
洗面カウンター５１は、洗面脱衣室５０の使用者が顔や手を洗うための衛生機器である。洗面カウンター５１は、平面視において左右方向を長手方向とする略矩形状に形成される。洗面カウンター５１の上面には、洗面ボウルや水栓器具等が設けられる。洗面カウンター５１は、洗面脱衣室５０の前端部に配置される。洗面カウンター５１の後端部は、仕切り部材３０の後端部よりも前方に配置される。
こうして、洗面脱衣室５０には、洗面カウンター５１と間仕切り２０との間を車椅子利用者が車椅子に搭乗したままで左右方向に通り抜けることができるように、奥行きが確保された空間が形成されている。
【００４９】
洗面カウンター５１は、下端部と床部１１との間に隙間Ｃ３が形成されるようにユニット躯体１０等に固定される。より詳細には、図２及び図３に示すように、洗面カウンター５１の前端部及び左端部が前壁部１３及び左壁部１５の上下中途部に固定される（図３に示す点Ｐ２１・Ｐ２２参照）。洗面カウンター５１の右端部は、床部１１との間に隙間Ｃ１が形成される仕切り部材３０の左側面３３の下部に固定される（図３に示す点Ｐ１２参照）。
【００５０】
このようにして洗面カウンター５１を固定することで床部１１との間に形成される隙間Ｃ３の高さは、隙間Ｃ１の高さよりも高くなるように形成される。隙間Ｃ３は、例えば、車椅子利用者が下半身を入れることができる程度の高さとなるように形成される。すなわち、洗面カウンター５１の下端部は、車椅子利用者の下半身よりも高い位置に配置される。
本実施形態に係る洗面カウンター５１は、床部１１との間にこのような隙間Ｃ３を形成すると共に、車椅子利用者に対して高すぎない高さ（例えば、車椅子に搭乗したままで洗面カウンター５１を使用可能な高さ）に配置される。
【００５１】
本実施形態に係る洗面カウンター５１は、ビス等の固定部材を前壁部１３に打ち付ける等の適宜の固定方法によって、Ｌアングルのような洗面カウンター５１の下面等を支持する支持部材を用いることなくユニット躯体１０及び仕切り部材３０に固定される。
【００５２】
これによれば、洗面カウンター５１は、前記支持部材等によって隙間Ｃ３が狭くなってしまうことを防止することができるため、隙間Ｃ３を十分に確保することができる。また、洗面カウンター５１の周囲から前記支持部材が露出することがなくなるため、サニタリールーム１の美観を向上させることができる。
【００５３】
ミラーキャビネット５２は、洗面用品等を収納可能な空間が形成される略箱状の部材である。ミラーキャビネット５２は、平面視において左右方向を長手方向とする略矩形状に形成される。ミラーキャビネット５２の後側面５２ａは、ヒンジ等に支持されて開閉可能な鏡によって構成される。ミラーキャビネット５２は、洗面カウンター５１の上方、より詳細には、洗面カウンター５１と天井１２との間に配置される。ミラーキャビネット５２は、窓１３ａからの光を遮らないように、窓１３ａよりも低い位置に配置される。ミラーキャビネット５２の前側面及び左側面は、前壁部１３及び左壁部１５の上部に固定される（図３に示す点Ｐ３１・Ｐ３２参照）。ミラーキャビネット５２の右側面は、仕切り部材３０の左側面３３の上部に固定される（図３に示す点Ｐ１３参照）。
【００５４】
トイレ６０は、第二の内部空間Ｒ２（ユニット躯体１０の右前部）に配置される。トイレ６０は、仕切り部材３０を挟んで洗面脱衣室５０と隣接する。トイレ６０には、便器６１及び吊り収納６２が設けられる。
【００５５】
便器６１は、先端部が後方向を向いた状態でトイレ６０の前端部に配置される。
【００５６】
吊り収納６２は、トイレ用品等を収納可能な空間が形成される略箱状の部材である。吊り収納６２は、平面視において左右方向を長手方向とする略矩形状に形成される。吊り収納６２の後側面は、ヒンジ等に支持されて開閉可能に構成される。吊り収納６２は、便器６１と天井１２との間、より詳細には、ミラーキャビネット５２と略同じ高さに配置される。吊り収納６２の前側面及び右側面は、前壁部１３及び右壁部１６の上部に固定される（図３に示す点Ｐ４１・Ｐ４２参照）。吊り収納６２の左側面は、仕切り部材３０の右側面３４の上部に固定される（図３に示す点Ｐ１４参照）。
【００５７】
このように、サニタリールーム１は、仕切り部材３０と洗面カウンター５１を互いに固定すると共に、仕切り部材３０とミラーキャビネット５２及び吊り収納６２とを互いに固定する構成としている。
【００５８】
これにより、仕切り部材３０は、床部１１及び天井１２の間に隙間Ｃ１・Ｃ２が形成される場合でも、左右方向の荷重を前壁部１３、左壁部１５、洗面カウンター５１、ミラーキャビネット５２及び吊り収納６２で十分に受けることができる。従って、仕切り部材３０は、耐荷重を確保することができ、安定した状態でユニット躯体１０に固定される。
【００５９】
また、洗面カウンター５１は、ユニット躯体１０に固定されない一端部（右端部）が仕切り部材３０に固定されることとなる。このため、洗面カウンター５１は、床部１１との間に隙間Ｃ３が形成されると共に自立不能な（下方に収納部等が配置されていない）構成である場合でも、上下方向の荷重を前壁部１３、左壁部１５及び仕切り部材３０で十分に受けることができる。従って、洗面カウンター５１は、耐荷重を確保することができ、安定した状態でユニット躯体１０に固定される。
【００６０】
ミラーキャビネット５２は、このような洗面カウンター５１と同様に、ユニット躯体１０に固定されない一端部（右端部）が仕切り部材３０に固定されることとなる。このため、ミラーキャビネット５２は、洗面カウンター５１と天井１２との間に配置される場合でも、上下方向の荷重を前壁部１３、左壁部１５及び仕切り部材３０で十分に受けることができる。従って、ミラーキャビネット５２は、耐荷重を確保することができ、安定した状態でユニット躯体１０に固定される。
【００６１】
吊り収納６２は、洗面カウンター５１と同様に、ユニット躯体１０に固定されない一端部（左端部）が仕切り部材３０に固定されることとなる。このため、吊り収納６２は、便器６１と天井１２との間に配置される場合でも、上下方向の荷重を前壁部１３、右壁部１６及び仕切り部材３０で十分に受けることができる。従って、吊り収納６２は、耐荷重を確保することができ、安定した状態でユニット躯体１０に固定される。
【００６２】
以上のように、サニタリールーム１は、仕切り部材３０を中心として洗面カウンター５１等を互いに固定することで、仕切り部材３０及び洗面カウンター５１等に対して作用する荷重を全体で受け合うことができる。このため、サニタリールーム１は、隙間Ｃ１〜Ｃ３を形成した場合でも、仕切り部材３０及び洗面カウンター５１等を安定した状態でユニット躯体１０に固定することができる。
【００６３】
また、仕切り部材３０は、洗面カウンター５１及びミラーキャビネット５２に左側面３３の上部及び下部がそれぞれ固定されることにより、左側面３３の上部及び下部のいずれかだけが固定される場合と比較して、より安定した状態で固定される。
【００６４】
そして、仕切り部材３０は、ミラーキャビネット５２及び吊り収納６２に左右側面３３・３４（第一の内部空間Ｒ１側の側面及び第二の内部空間Ｒ２側の側面）がそれぞれ固定されることにより、左右側面３３・３４のいずれか一側面だけが固定される場合と比較して、より安定した状態で固定される。
【００６５】
このような仕切り部材３０の左右側面３３・３４が固定されるミラーキャビネット５２及び吊り収納６２は、洗面用品等が収納可能に構成されている。
これにより、サニタリールーム１は、仕切り部材３０を固定するための部材を収納として使用することができるため、スペースを有効に活用することができる。
【００６６】
また、仕切り部材３０、ミラーキャビネット５２及び吊り収納６２は、洗面カウンター５１と同様に、ビス等の固定部材を打ち付ける等してＬアングル等の支持部材を用いることなく固定される。
【００６７】
これにより、サニタリールーム１は、仕切り部材３０、ミラーキャビネット５２及び吊り収納６２が支持部材を用いて固定される場合と比較して、その美観を向上させることができる。
【００６８】
次に、車椅子利用者がサニタリールーム１を使用するときの流れについて説明する。
【００６９】
まず、車椅子利用者が洗面脱衣室５０を使用するときの流れについて説明する。
【００７０】
図１及び図２に示すように、車椅子利用者は、洗面脱衣室５０（洗面カウンター５１）を使用する場合、車椅子に搭乗したままで出入口１７からサニタリールーム１（洗面脱衣室５０）に入る。
【００７１】
そして、車椅子利用者は、車椅子を旋回させて前方向に向きを変え、前方向に移動して洗面カウンター５１に接近する。その後、車椅子利用者は、洗面カウンター５１を使用する。
このとき、車椅子利用者は、洗面カウンター５１と床部１１との間に形成される隙間Ｃ３に下半身（及び車椅子の座部や足受け部）を入れることができる。従って、車椅子利用者は、洗面カウンター５１の下方に収納部等が配置されている場合等と比較して、洗面カウンター５１に上半身をより接近させることができる。
【００７２】
このため、車椅子利用者は、車椅子に搭乗した状態であっても、無理のない姿勢で洗面カウンター５１を使用することができる。従って、車椅子利用者は、介助者の介助を受けることなく洗面カウンター５１を使用することができる。
【００７３】
このように、サニタリールーム１は、洗面カウンター５１と床部１１との間に隙間Ｃ３を形成することで、車椅子利用者が簡単に（例えば、介助者の介助を受けることなく）洗面脱衣室５０を使用することができる。
【００７４】
次に、車椅子利用者がトイレ６０を使用するときの流れについて説明する。
【００７５】
車椅子利用者は、トイレ６０を使用する場合、車椅子に搭乗したままで洗面脱衣室５０を右方向に通り抜け、車椅子を移動（旋回）させてトイレ６０に設けられる手すり等を使用して便器６１に着座する。
【００７６】
このような車椅子の移動（旋回）において、車椅子利用者は、仕切り部材３０と床部１１との隙間Ｃ１に足先（及び車椅子の足受け部）を入れることができる。従って、車椅子利用者は、平面視において仕切り部材３０の後端部と車椅子の可動範囲Ｒとが重なる場合でも、足先が仕切り部材３０に接触することなく車椅子を移動（旋回）させることができる。
【００７７】
このため、車椅子利用者は、便器６１に着座し易い状態（例えば、前記手すりを握り易い状態）となるまで車椅子を移動（旋回）させることができる。従って、車椅子利用者は、大きな負担がかかることなくトイレ６０を使用することができる。
【００７８】
このように、サニタリールーム１は、仕切り部材３０と床部１１との間に隙間Ｃ１を形成することで、車椅子利用者が簡単に（例えば、介助者の介助を受けることなく）トイレ６０を使用することができる。
【００７９】
また、車椅子利用者は、洗面脱衣室５０からトイレ６０に移動する場合や洗面脱衣室５０を使用後にサニタリールーム１から出る場合等においても、移動（旋回）時に隙間Ｃ１に足先を入れることができる。このため、車椅子利用者は、簡単にサニタリールーム１を使用することができる。
【００８０】
このような洗面脱衣室５０とトイレ６０とを仕切るための仕切り部材３０の上端部３２は、ある程度高い位置（例えば、洗面脱衣室５０から便器６１に着座したトイレ６０の使用者を直接視認できない程度に高い位置、本実施形態では窓１３ａの下端部と略同程度の高さ）に配置されている。
これによって、仕切り部材３０は、ユニット躯体１０の内部空間を第一の内部空間Ｒ１と第二の内部空間Ｒ２とに区画する仕切りとしての機能を有するだけでなく、洗面脱衣室５０から便器６１を直接視認し難くなるような目隠しとしての機能も有する構成としている。
【００８１】
これによれば、仕切り部材３０は、便器６１及びトイレ６０を使用している使用者等を洗面脱衣室５０から直接視認し難くすることができるため、視覚的な不快感を緩和することができる。
【００８２】
また、本実施形態において、仕切り部材３０は、床部１１との間に隙間Ｃ１が形成されるだけでなく、天井１２との間にも隙間Ｃ２が形成されている。
【００８３】
これにより、仕切り部材３０は、第一の内部空間Ｒ１（洗面脱衣室５０）と第二の内部空間Ｒ２（トイレ６０）との上端部を繋いで開放感を与えることができる。このため、仕切り部材３０は、内部空間を仕切ることによって使用者に与える圧迫感を低減することができる。
【００８４】
また、洗面脱衣室５０及びトイレ６０は、仕切り部材３０と天井１２との隙間Ｃ２を通じて、窓１３ａ及び天井１２に設けられる照明等からの光の一部を互いに取り入れることができる。このため、洗面脱衣室５０及びトイレ６０の採光を確保する（暗くなることを防止する）ことができる。
【００８５】
以上の如く、本実施形態に係るサニタリールーム１は、前壁部１３、後壁部１４、左壁部１５及び右壁部１６（複数の壁部）で囲まれると共に、仕切り部材３０によって人が行き来可能に内部空間が区画されるサニタリールーム１であって、前記仕切り部材３０は、下端部３１が床部１１との間に隙間Ｃ１を空けて配置され、前壁部１３（前記複数の壁部の中の一の壁部）に固定されるものである。
【００８６】
このように構成することにより、車椅子利用者が使用し易くすることができる。
【００８７】
また、前記仕切り部材３０は、上端部３２が天井１２との間に隙間Ｃ２を空けて配置されるものである。
【００８８】
このように構成することにより、使用者に与える圧迫感を低減することができる。
【００８９】
そして、前記仕切り部材３０によって区画された第一の内部空間Ｒ１には、前記床部１１との間に隙間Ｃ３を空けて配置され、前記前壁部１３と左壁部１５（前記複数の壁部の中で前記一の壁部とは異なる壁部）とに固定される洗面カウンター５１（衛生機器）が設けられ、前記仕切り部材３０は、前記洗面カウンター５１に固定されるものである。
【００９０】
このように構成することにより、仕切り部材３０及び洗面カウンター５１を安定した状態で固定することができる。
【００９１】
そして、前記衛生機器は、洗面カウンター５１である。
【００９２】
このように構成することにより、車椅子に搭乗したままで洗面カウンター５１を使用することができる。
【００９３】
そして、前記第一の内部空間Ｒ１及び前記仕切り部材３０を挟んで前記第一の内部空間Ｒ１と隣り合う第二の内部空間Ｒ２のいずれか一方には、前記前壁部１３と左壁部１５（前記複数の壁部の中で前記一の壁部とは異なる壁部）とに固定されるミラーキャビネット５２（一方側固定部材）が設けられ、前記仕切り部材３０は、前記ミラーキャビネット５２に固定されるものである。
【００９４】
このように構成することにより、仕切り部材３０を複数の部材で固定することができるため、仕切り部材３０を安定した状態で固定することができる。
【００９５】
そして、前記第一の内部空間Ｒ１及び前記第二の内部空間Ｒ２の他方には、前記前壁部１３と右壁部１６（前記複数の壁部の中で前記一の壁部とは異なる壁部）とに固定される吊り収納６２（他方側固定部材）が設けられ、前記仕切り部材３０は、前記吊り収納６２に固定されるものである。
【００９６】
このように構成することにより、仕切り部材３０をより安定した状態で固定することができる。
【００９７】
そして、前記ミラーキャビネット５２及び前記吊り収納６２は、前記洗面カウンター５１よりも高い位置に配置されるものである。
【００９８】
このように構成することにより、仕切り部材３０をより安定した状態で固定することができる。
【００９９】
そして、前記第二の内部空間Ｒ２には、便器６１が設けられ、前記仕切り部材３０は、前記便器６１を前記第二の内部空間Ｒ２とは異なる内部空間から直接視認し難くするための目隠し機能を有するものである。
【０１００】
このように構成することにより、視覚的な不快感を緩和することができる。
【０１０１】
そして、前記ミラーキャビネット５２及び前記吊り収納６２の少なくともいずれかは、収納部であるものである。
【０１０２】
このように構成することにより、サニタリールーム１の内部空間を有効に活用することができる。
【０１０３】
なお、本実施形態に係る前壁部１３は、本発明に係る一の壁部の実施の一形態である。
また、本実施形態に係る左壁部１５は、本発明に係る一の壁部とは異なる壁部の実施の一形態である。
そして、本実施形態に係る右壁部１６は、本発明に係る一の壁部とは異なる壁部の実施の一形態である。
そして、本実施形態に係る洗面カウンター５１は、本発明に係る衛生機器の実施の一形態である。
そして、本実施形態に係るミラーキャビネット５２は、本発明に係る一方側固定部材及び収納部の実施の一形態である。
そして、本実施形態に係る吊り収納６２は、本発明に係る他方側固定部材及び収納部の実施の一形態である。
【０１０４】
なお、本実施形態において、一の壁部とは異なる壁部は、前壁部１３以外の壁部、すなわち、後壁部１４、左壁部１５及び右壁部１６のいずれかであることを指す。
また、衛生機器が固定される壁部（一の壁部とは異なる壁部）と、一方側固定部材が固定される壁部と、他方側固定部材が固定される壁部とは、それぞれ同一の壁部（例えば、全て後壁部１４）であっても良く、全て異なる壁部であっても良い。
【０１０５】
なお、本実施形態において仕切り部材３０は洗面脱衣室５０とトイレ６０とを区画するものとしたが、本発明に係る仕切り部材はこれに限定されるものでない。本発明に係る仕切り部材は、例えば、図４に示すように、洗面脱衣室５０と洗濯機７１が設けられる洗濯機置き場７０とを区画するものであっても良い。
【０１０６】
本実施形態において仕切り部材３０は、ミラーキャビネット５２及び吊り収納６２、すなわち、収納可能な部材に固定されるものとしたが、本発明に係る仕切り部材はこれに限定されるものでない。本発明に係る仕切り部材は、棒状部材（収納不能な部材）等に固定されていても良い。
【０１０７】
本実施形態において仕切り部材３０は、側面視略矩形状に形成されるものとしたが、本発明に係る仕切り部材は、これに限定されるものでない。本発明に係る仕切り部材は、例えば、側面視略台形状及び側面視略六角形状等であっても良い。
【０１０８】
本実施形態において仕切り部材３０は、板面が左右方向を向いた平板状に形成されるものとしたが、本発明に係る仕切り部材はこれに限定されるものでない。本発明に係る仕切り部材は、図５に示す仕切り部材１３０のように、板面が左右方向を向いた平板状の部材に側面視略矩形状の窪みが形成されるものであっても良い。この場合、本発明に係る仕切り部材は、収納としての機能も有することとなり、サニタリールームのスペースをより有効に活用することができる。
【０１０９】
本発明に係るサニタリールームは、図５に示すように、取り外し可能（例えば、下面にキャスターが設けられて移動可能）な収納部５３が洗面カウンター５１の下方に設けられていても良い。このような収納部５３が設けられる場合としては、例えば、サニタリールームの使用者に車椅子利用者がいない場合、すなわち、将来の介護を見越して建築物にサニタリールームを設置する場合等がある。
【０１１０】
本実施形態においてミラーキャビネット５２及び吊り収納６２は、洗面カウンター５１よりも高い位置に配置されるものとしたが、本発明はこれに限定されるものでない。すなわち、本発明に係る一方側固定部材及び他方側固定部材は、衛生機器よりも低い位置に配置されていても構わない。
【０１１１】
本実施形態においては、衛生機器が洗面カウンター５１であるものとしたが、本発明はこれに限定されるものでなく、洗面カウンター以外の衛生機器、例えば、エアコン及び乾燥機等であっても構わない。このようなエアコン及び乾燥機等を設ける場合、衛生機器は、例えば、適宜の固定部材を介して壁部及び仕切り部材に固定される。
【０１１２】
本実施形態において仕切り部材３０は、サニタリールーム１の内部空間を第一の内部空間Ｒ１と第二の内部空間Ｒ２との二つの空間に区画するものとしたが、本発明に係る仕切り部材は、これに限定されるものでない。本発明に係る仕切り部材は、例えば、平面視略Ｔ字に形成され、サニタリールームの内部空間を三つの空間に区画するものであっても良い。また、本発明に係る仕切り部材は、サニタリールームの内部空間を四つ以上の空間に区画するものであっても良い。
【０１１３】
本実施形態において洗面カウンター５１は、前壁部１３及び左壁部１５に固定されるものとしたが、本発明はこれに限定されるものでない。本発明において衛生機器は、一の壁部と、一の壁部の壁面に対して略同一平面上に配置されていない壁部とに固定されていれば良い。これは、一方側固定部材及び他方向側固定部材においても同様である。
【０１１４】
なお、ユニット躯体の平面視における形状は、本実施形態に限定されるものでなく、例えば、正方形状等であっても構わない。
【符号の説明】
【０１１５】
１    サニタリールーム
１１  床部
１３  前壁部（一の壁部）
３０  仕切り部材
３１  下端部
Ｃ１  隙間
【図１】
2016053287.tif 000003
【図２】
2016053287.tif 000004
【図３】
2016053287.tif 000005
【図４】
2016053287.tif 000006
【図５】
2016053287.tif 000007